(57)【特許請求の範囲】
【請求項１】
価値媒体を収納する収納用カセットおよび輸送用カセットと、投入された収納用カセットの価値媒体を輸送用カセットに移転する価値媒体収集装置とを備え、前記輸送用カセットに保持された価値媒体を輸送する価値媒体輸送システムであって、
前記収納用カセットは、収納した価値媒体の量を計数する計数手段と、収納された価値媒体の正当性を認証する認証手段と、価値媒体の量および前記認証手段による認証情報を含む価値媒体関連データを保持する記憶手段と、前記価値媒体収集装置へ前記価値媒体関連データを送信する通信部を有し、
前記価値媒体収集装置は、前記収納用カセットに収納した価値媒体を前記輸送用カセットに移転する移転手段と、前記収納用カセットまたは前記輸送用カセットと通信を行う通信部と、投入された前記収納用カセットから受信した前記価値媒体関連データに前記認証情報が存在すれば価値媒体および当該価値媒体関連データを前記輸送用カセットに移転し、前記認証情報が存在しなければ当該収納カセットを返却する制御部を有する
価値媒体輸送システム。
【請求項２】
前記認証手段による認証情報は、前記収納用カセットに収納した価値媒体の量が確定している旨の認証コードである
請求項１に記載の価値媒体輸送システム。
【発明の詳細な説明】
【０００１】
【発明の属する技術分野】
この発明は、現金、小切手、商品券、その他の有価証券などのように価値を持った価値媒体を所定の目的地に輸送するような価値媒体輸送システムに関する。
【０００２】
【従来の技術】
従来、個人店舗、または、大型店舗の各売り場での売上金の回収管理の方法としては次の例がある。
すなわち、各店舗毎の売上金と売上伝票とを専用のバッグに同封した状態で処理委託する夜間金庫投入方法。
さらに、キャッシュレジスタのドロアをカセット構造に形成し、該ドロア部分に集められた現金をドロアのまま、収集委託業者（警備会社など）が設置した現金入金装置に供して入金処理するドロア入金方法。
また、万円札のみ収容する専用入金カセットをレジ（勘定所）に置いて万円札のみを収集し、所定期間または所定量でこの専用入金カセットを収集委託業者に回収委託する専用入金カセット方法。
店舗の閉店時、売上金を収集委託業者が設置した、また、銀行が設置した現金入金装置に店員が売り上げた現金を入金操作する店員入金方法。
【０００３】
上述の各方法には次のような問題点がある。すなわち、
前述の夜間金庫投入方法の場合、各店舗、各売り場などの小さな管理単位の数だけ夜間金庫に夜間金庫専用バックが投入されるため、バッグに現金と伝票を入れる作業や後処理が大変煩わしい問題点がある。
【０００４】
すなわち、上述の後処理の作業は、夜間金庫専用バッグを回収した上で、個別に封入された現金と伝票とを取出し、現金を人手または機械で計数して伝票と照合し、さらに、口座に振込む等の入金手続きを実行する作業であって、この後処理では、計数処理を後で集中して纏めて行う必要があることと、計数する現金が管理単位の個別になっていることとが作業負担を高め、この後処理に時間や手間がかかる問題点を有する。
【０００５】
また、後処理側だけではなく、前処理側においても、すなわち、夜間金庫専用バッグに現金を投入する係員の作業としても、売上高の集計、現金の人手による計数、委託伝票の記入等の複雑で負担の大きい作業があり、この作業に時間を要している。また、上述の作業をレギュラーで従事している係員だけではなく、昨今ではアルバイトのような一時的に従事する人員も多く、不正の誘発面も含めて作業の軽減が課題となっている。
【０００６】
さらに、前述の専用入金カセット方法でも、伝票の機能などの前処理、また伝票と現金との照合作業の後処理などの作業があって、これらの作業に大変負担がかかるなどの問題点を有している。
【０００７】
また、上述の夜間金庫投入方法や専用金庫カセツト方法の代替えとして、前述したドロア入金方法や店員入金方法のように現金入金装置を利用する場合について考えてみると、次のような問題点を有する。すなわち、
店員入金方法では、係員が直接現金を手で入金する必要があるので、セキュリティ上の問題がある。
【０００８】
上述の両方法で、売上金の入金処理がテナント（管理単位）の閉店時間帯に集中すると、現金入金装置の前に入金操作の順番を待つ待ち行列ができ、また、各テナント毎（管理単位毎）の計数処理、レシート発行処理等をリアルタイムで行っているので、１取引当りの処理時間が長くなることが待ち行列の原因であり、処理の能率が悪い。
【０００９】
また、現金入金装置を複数台にすると、上述の待ち行列はその分解消されるが、しかし、上述のように閉店時間帯といった特定時間のみの行列であるときは、その他の時間帯では、稼動されることが少なくなり、装置の稼動率が甚だしく悪く、経費に無駄が生じる。また、装置を増設した分回収現金は各装置に分散されるので、収集委託業者側の集計の負担が大きくなる。
【００１０】
また、上述の現金入金装置によれば、計数処理を装置内部で機械的に行っているので、紙幣や硬貨のジャムが避けられない。このようなジャムなどの障害が発生すると、装置の稼動（運用）が停止するので、障害が復旧するまで利用者を待たせざるを得ない。また、上述の障害の復旧作業は収集委託業者側が行うので、この出動回数が多くなるという問題点を有する。
【００１１】
【発明が解決しようとする課題】
この発明は、上述の各問題点を合理的な現金等の価値媒体の輸送を行なうことで解決し、輸送のための価値媒体の前処理および後処理を軽減し、また、価値媒体の処理自体も速くできて、店舗側および収集委託業者側双方の作業負担を軽減し、さらに、係員の直接的に価値媒体に触れることを少なくしてそのセキュリティを高めることができ、その他多くの利用価値を得ることができる価値媒体輸送システムの提供を目的とする。
【００１２】
【課題を解決するための手段】
この発明の請求項１記載の発明は、価値媒体を収納する収納用カセットおよび輸送用カセットと、投入された収納用カセットの価値媒体を輸送用カセットに移転する価値媒体収集装置とを備え、前記輸送用カセットに保持された価値媒体を輸送する価値媒体輸送システムであって、前記収納用カセットは、収納した価値媒体の量を計数する計数手段と、収納された価値媒体の正当性を認証する認証手段と、価値媒体の量および前記認証手段による認証情報を含む価値媒体関連データを保持する記憶手段と、前記価値媒体収集装置へ前記価値媒体関連データを送信する通信部を有し、前記価値媒体収集装置は、前記収納用カセットに収納した価値媒体を前記輸送用カセットに移転する移転手段と、前記収納用カセットまたは前記輸送用カセットと通信を行う通信部と、投入された前記収納用カセットから受信した前記価値媒体関連データに前記認証情報が存在すれば価値媒体および当該価値媒体関連データを前記輸送用カセットに移転し、前記認証情報が存在しなければ当該収納カセットを返却する制御部を有する価値媒体輸送システムであることを特徴とする。
【００１３】
この発明の請求項２記載の発明は、前記認証手段による認証情報は、前記収納用カセットに収納した価値媒体の量が確定している旨の認証コードである価値媒体輸送システムであることを特徴とする。
【００１４】
【発明の作用・効果】
この発明（請求項１）によれば、店舗、または、各売り場の管理単位毎に売上金のような価値媒体を収納用カセットに収納し、この収納時に価値媒体の関連データを収集する。例えば、現金であれば、硬貨や紙幣の金種、各金種の枚数や金額、全収納金額、価値媒体の受付時の年月日時刻などの関連データを収集する。このようにした収納用カセットの収納価値媒体を輸送するための輸送用カセットに移転するとき、価値媒体の移転と同時に、収集した価値媒体関連データをも移転して、輸送用カセットを輸送する。
【００１５】
このようにして輸送すれば、すなわち、収納用カセットに対する価値媒体の収納は、価値媒体が収納適量になったとき任意の時刻に収納用カセットに収納でき、収納時に関連データを蓄積して任意の時間帯に輸送用カセットに移転することで、例えば、従来のように閉店時間帯に収納処理が集中するようなことが回避でき、前処理作業が円滑化され、軽減される。
【００１６】
さらに、収納用カセットに価値媒体を収納すると同時に、その関連データを保持させることで価値媒体の量がこの時点で確定し、収納用カセットから輸送用カセットに価値媒体を移転するとき、価値媒体関連データも移転することで、量が確定した価値媒体を移転することができ、この移転時に価値媒体の計数処理や伝票処理などの引継ぎ処理作業がなくなるので、移転作業が簡単にできて、処理作業が迅速化され、また、上述の移転に装置を用いるなどの機械的な移転が可能となり、セキュリティが高められる。
【００１７】
さらに、価値媒体収集装置で移転する場合、装置側では計数処理が不要であるため、媒体の１枚繰出しおよび１枚搬送が不要となって、例えば、価値媒体を束ねたまま移転（搬送）するなど、簡単な移転構造が採用でき、したがって、価値媒体が紙幣や硬貨であれば、ジャムの発生による機械のダウンが回避でき、障害復旧の作業がその分なくなり、輸送委託業者（収集委託業者）の負担が軽減される。
【００１８】
さらに、輸送用カセットには価値媒体と価値媒体関連データとが集束しているので、従来の伝票の突合せや確認の作業がなく、回収が簡単であって、回収作業にかかる負担が少なくできる。
【００１９】
さらに、輸送用カセットの価値媒体を契約先の口座に代行して振込む場合、価値媒体と同時に移転した価値媒体関連データに基づいて実行すればよく、後処理が簡単化され、迅速化される。
【００２０】
さらに、収納用カセットに記憶手段を設けて、これに価値媒体関連データを記憶させることで、収納価値媒体とその関連データとの対応が確実となり、他の収納価値媒体と間違うことがなくなる。
【００２１】
さらに、受付けた価値媒体の量を計数して、価値媒体の関連データとして記憶しているので、収納用カセットに収納された価値媒体の量が明確となり、その量のデータと収納用カセットとの対応を一致させて輸送することができ、後の検証が容易となる。
【００２２】
特に、収納用カセットに収納した価値媒体の正当性を認証手段で認証することを条件として、価値媒体とその関連データとの移転を許可することで、移転前と移転後との間で確認動作に責任分界（責任の範囲を分割した境界、例えば、店舗と収集業者との責任の範囲を分割した境界）が形成でき、店舗と収集委託業者との責任分界が明瞭となる。
【００２３】
【実施例】
この発明の一実施例を以下図面に基づいて詳述する。
図面は店舗の売上金を収集する集金システムを示し、図１は集金システム構成図であって、店舗１０のレジエリア（勘定所）１１に設置されたレジスタ１２…には紙幣や硬貨の現金（価値媒体の例）による売上金が収納される。
【００２４】
各レジスタ１２…の売上金を回収するに当って、これらの売上金を収納カセットＡ（Ａ１，Ａ２，…Ａｎ）に収納して回収する。この収納カセットＡに売上金を収納するに当って、この売上金に関連するデータも移転する。
【００２４】
上述の収納カセットＡに対する売上金の収納する時期は、一定の時間、または売上金が一定の額になったとき、あるいは閉店時など設定された回収時に実行し、さらに、収納カセットＡに対する売上金の収納は、係員が真偽判定し、計数して人手によって収納するも、また、鑑別機能と計数機能とを備えた鑑別機を収納カセットＡに接続して、該鑑別機で鑑別計数した現金を収納するもよく、また、収納カセットＡに現金の取込み機能と、鑑別機能と、計数機能とを有する装置を内蔵して、該内蔵装置で機械的に行うもよいが、この実施例では内蔵装置で機械的に行う場合を示している。さらに、収納カセットＡは紙幣専用タイプと硬貨専用タイプとに分けることもできるが、この実施例では紙幣と硬貨とが区別して収納できる両用タイプを示している。
【００２５】
また、上述の収納カセットＡに売上金を収納したとき、この売上金に関連するデータも収納カセットＡに移転する。このデータの移転の記録は、レジスタ１２で発行した伝票の投入、レジスタ１２で発行した機械読取り可能な磁気カードの投入、収納カセットＡに記憶装置を内蔵して、係員が例えばレジスタ１２を使用して該記憶装置に記録、あるいは収納カセットＡに設けた計数機構とよる計数値を記憶装置に記憶、などの各手段で行うことができるが、この実施例では収納カセットＡに設けた計数機構により得た計数値を内蔵した記憶装置に記憶し、その他の必要なデータはレジスタ１２の入力手段を利用して記憶装置に記憶する場合を示している。
【００２６】
上述の売上金の関連データは、
収納カセットのＩＤコード
収納カセット使用開始年月日
収納カセット有効期限
収納カセット有効取引回数および実取引回数
店舗、または売り場などの回収場所の回収場所コード
紙幣、硬貨毎の金種と金種毎の枚数または金額値および全金額値
収納時の年月日、時刻
収納した現金の正当性を認証する認証コード
搬送設定時間（使用時限設定）
収納カセットの操作履歴、例えば、
シャッタの開閉回数（内部媒体（現金）へのアクセス回数）
媒体（現金）のセット情報
取込み開始ボタンの押下動作の回数
金額確定動作
搬送検知センサのログ
計数開始時刻と終了時刻
パスワード
取引ＩＤコード。
【００２７】
上述の関連データの収得は、収納カセットのＩＤコード、使用開始年月日、有効期限、有効取引回数、店舗または売り場などの回収場所の回収場所コードなどの各データは、収納カセットを使用する前に、予め後述する集金装置１４で入力して収得し、また、収納カセットの実取引回数、パスワード、取引ＩＤコードの各データは集金装置１４により収得する。
さらに、金種、枚数、金額値、全金額値、収納時の年月日、時刻、認証コード、搬送設定時間の各データは、売上金の収納時に、直接入力、または他の機器を利用して間接入力して収得する。さらに、操作履歴のデータは収納カセットを操作したとき収得する。
【００２８】
前述の店舗１０内の特定のエリア（特に警備の面で安全性の高い）に出納室１３を設定し、該出納室１３で収納カセットＡに収納された売上金と、売上金に関連するデータとを輸送カセットＢ（Ｂ１，Ｂ２，…Ｂｎ）に移転する。
【００２９】
この輸送カセットＢへの移転は、前述の収納カセットＡの場合と同様に係員による人為的に、または機械的に行うもよいが、この実施例では機械的に行う例として集金装置１４を示している。そして、前述の輸送カセットＢは集金装置１４の金庫として使用される。
【００３０】
前述の出納室１３には、集金装置１４を１台または複数台の必要台数設け、この集金装置１４は内部に輸送カセットＢを備え、この輸送カセットＢに前述の収納カセットＡに収納した売上金および売上金の関連データを移転する。そして、この輸送カセットＢが収集委託業者によって輸送される。
【００３１】
前述の収納カセットＡはレジエリア１１から出納室１３まで係員が搬送して、この収納カセットＡを集金装置１４に直接セットする。この係員による搬送には時間を設定して、その時間内に搬送しなければ使用が停止されるように設定すると、データを改竄して現金を抜取るような時間を与えないため、その不正を防止し得る点で好ましい。
【００３２】
例えば、収納カセットＡの記憶装置に記憶した特定のデータ、例えば、計数データ、あるいは認証コードなどを所定時間（タイマ装置）でリセットするようにすれば、この所定時間内で搬送しなければならなくなる。また、収納カセットＡを係員がレジエリア１１から搬送するとき、この収納カセットＡから現金処理センタ（または管理センタ）１５に売上金の関連データを伝送しておくと、該収納カセットＡ自体の盗難に対する不正も防止し得る。
【００３３】
前述の輸送カセットＢは、紙幣のみを収納する紙幣専用タイプ、硬貨のみを収納する硬貨専用タイプ、あるいは紙幣と硬貨とを収納室を仕切って収納する両用タイプの何れもが用意され、必要に応じて各タイプを選択使用する。
【００３４】
前述の集金装置１４は、現金の鑑別や計数機能がなく、該装置１４に直接セットされた収納カセットＡから回収売上金を一括して輸送カセットＢに移転することができ、また、１個の輸送カセットＢには複数の収納カセットＡの現金が移転できる大きさに設定している。なお、紙幣を移転するときに複数の収納カセットＡからの移転では、その仕切りに用紙を挟んで収納カセットＡ毎の紙幣に仕切ることで検証処理時に確認ができる。
【００３５】
上述の輸送カセットＢに、収納カセットＡの売上金を移転するとき該収納カセットＡに収納された売上金の関連データをも移転する。このデータの移転の記録は、集金装置１４で発行した伝票の投入、集金装置１４で発行した機械読取り可能な磁気カードの投入、輸送カセットＢに記憶装置を内蔵して、係員が例えば集金装置１４を操作して該記憶装置に記録、あるいは輸送カセットＢに内蔵した記憶装置に集金装置１４が収納カセットＡの記憶装置から読取ったデータを機械的に記録、などの各手段で行うことができるが、この実施例では輸送カセットＢに内蔵した記憶装置に集金装置１４が収納カセットＡの記憶装置から読取ったデータを記憶する場合を示している。
【００３６】
上述の輸送カセットＢの記憶装置には、移転処理した収納カセットＡの売上金の関連データの記録の他に、次のデータも輸送処理データとして記録する。すなわち、
輸送カセットのＩＤコード
輸送カセット使用開始年月日
輸送カセット有効期限
輸送カセット有効取引回数および実取引回数
店舗などの集金場所の集金場所コード
売上金の回収、または、店舗準備金の配達などの目的種別
取引ＩＤコード
紙幣、硬貨毎の金種と金種毎の枚数または金額値および全金額値
移転時の年月日、時間
移転した現金の正当性を認証する認証コード
輸送設定時間（使用時限設定）
輸送カセットの操作履歴、例えば、
シャッタの開閉回数（内部媒体（現金）へのアクセス回数）
媒体（現金）のセット情報
一括移転の開始ボタンの押下動作回数
金額確定動作
パスワード
なお、上述のデータの収得も前述した収納カセットと同様にして実行される。
【００３７】
前述のようにして収納カセットＡからその売上金とその関連データを移転した輸送カセットＢを店舗１０とは別の収集委託業者が行うときは、その責任分界が、集金装置１４で設定される。例えば、集金装置１４が店舗１０側で操作されるときは、収納カセットＡの売上金とそれに関連するデータが輸送カセットＢに移転されて、該輸送カセットＢが集金装置１４より外されたとき、また、集金装置１４が収集委託業者側で操作されるときは、収納カセットＡが集金装置１４にセットされて、売上金とそれに関連するデータが輸送カセットＢに移転されたときのように設定することができる。
【００３８】
上述の集金装置１４が輸送カセットＢへの移転処理が終了すると、この集金装置１４から現金処理センタ（または管理センタ）１５に、収納カセットＡの売上金の関連データを含む輸送処理データを伝送しておくと、該輸送カセットＢに対する不正の防止や該輸送カセットＢ自体の盗難に対する発見が容易になし得る。
【００３９】
上述のようにして移転処理された輸送カセットＢは、例えば、収集委託業者側の輸送車１６で現金処理センタ１５に輸送される。なお、輸送カセットＢに配達の目的種別が設定されているときは、目的の他店舗１７に立ち寄って該他店舗１７の自動機（例えば、支払い機能、つり銭機能など準備金を必要とする装置）１８に該輸送カセットＢをセットして、機械的に現金を補充することができる。勿論、補充した金種やその量は自動機１８で鑑別計数されるので、そのデータおよび他の必要なデータは輸送カセットＢの記憶装置に記憶される。
【００４０】
現金処理センタ１５は輸送された輸送カセットＢを受け取ると、これに収納された売上金（現金）を管理する。この管理では、輸送カセットＢの記憶装置に収納カセットＡの売上金の関連データを含む輸送処理データを読出して、このデータと輸送現金とを検証する。
【００４１】
検証の結果、売上金の回収が正常に行われたとき（異常が認められないとき）は、上述の記憶データの中の店舗および金額値のデータに基づいて、店舗の口座を有する銀行１９に振込み処理の代行、預金処理の代行を行うことができる。
【００４２】
さらに、現金処理センタ１５では、現金の金種分け処理やバラ硬貨の棒金化処理を行う。
なお、現金処理センタ１５では輸送カセットＢの記憶装置に売上金の関連データが記憶されているので、輸送カセットＢの輸送に異常が認められないときは、現金の計数処理を省略して、関連データの売上金に関連するデータ（合計金額データなど）で銀行１９に振込み処理の代行、預金処理の代行を行うことができる。この場合、計数処理は収納カセットＡに売上金を収納したときの１回のみとなり、作業の省力化が図れる。
【００４３】
［収納カセットの説明］
図２は、収納カセットＡを示し、該収納カセットＡは上面に収納した現金（売上金）の計数データなどを表示する表示部２１と、再入金や金額を確定するための入力部２２と、硬貨（売上金）を投入する硬貨投入口２３とを形成し、前面には紙幣を束ねて投入する紙幣投入口２４と、鑑別不良紙幣を返却する紙幣返却口２５と、鑑別不良の硬貨を返却する硬貨返却口２６を設けている。
【００４４】
図３は、上述の表示部２１と入力部２２とを示し、紙幣および硬貨の入金（計数処理）の都度金種毎に枚数を加算して表示し、合計金額を累進加算して表示する。
金額確定ボタン２７は入金の全てまたは一部を終えた段階で入力するとで、入金処理を停止し、入金金額が確定して、これ以上の入金を受け付けない。金額確定ボタン２７が入力されると表示部２１の金額確定エリアの部分に金額確定マーク（点灯表示）２８を表示し、入金金額が確定したことを示す。
【００４５】
さらに、再入金ボタン２９は入金処理の始動と、再度入金処理を実行するとき入力することで、入金処理が始動および再開することができる。入金処理が再開のとき金額データは保持されているが、金額確定エリアの金額確定マーク２８は消滅する。再入金が終了後再び金額確定ボタン２７を入力することで、金額確定マーク（点灯表示）２８を表示し、入金金額が確定したことを示す。なお、紙幣および硬貨の計数をスタートするスタートボタンを設けるもよい。
【００４６】
図４は、紙幣投入口２４および紙幣返却口２５の内部に構成される紙幣入金処理機構３１を示し、紙幣投入口２４の内部下面には、ピックアップローラ３２、フィードローラ３３、ゲートローラ３４により取込み部３５を形成し、さらに、紙幣投入口２４の上面側には押圧バネ３６，３６で付勢される押圧板３７を備えており、該押圧板３７は投入された紙幣を取込み可能な押圧力で押圧する。
【００４７】
上述の取込み部３５は適宜の搬送ベルトや搬送ローラで形成される搬送ライン３８を介して紙幣収納部３９を接続しており、前述の取込み部３５の出口部には紙幣の印刷パターンの読取り、紙幣の幅の検知で真偽と金種の判別を行う紙幣識別センサ（鑑別部）４０を設けている。
【００４８】
上述の紙幣識別センサ４０の後段の搬送ライン３８には分岐点を設けて、該分岐点には適宜の搬送ベルトや搬送ローラで形成される返却ライン４１を接続し、この返却ライン４１の搬送端を前述の紙幣返却口２５に接続している。そして、前述の分岐点には紙幣識別センサ４０で返却と判定された紙幣を返却ライン４１に振分けるフラッパ４２を設けている。
そして、上述の取込み部３５、搬送ライン３８および返却ライン４１はモータＭ１で駆動制御される。
【００４９】
また、前述の紙幣収納部３９の底部には紙幣シャッタ４３を設けており、この紙幣シャッタ４３は適宜の駆動源で開閉されるも、この収納カセットＡを集金装置１４に掛けたとき集金装置１４からの制御信号で開閉操作され、該収納カセットＡのみでは開閉の操作ができないように構成して、不正を防止する。なお、上述した駆動源も持たず集金装置１４側の駆動源で紙幣シャッタ４３を開閉することもできる。さらに、特定者が管理するキーを設けて必要時に紙幣シャッタ４３を解放するべく構成することもできる。
【００５０】
図中、４４は紙幣投入口２４に投入された紙幣の有無を検知する投入紙幣検知センサ、また、４５は紙幣収納部３９に収納される紙幣を検知する収納紙幣検知センサである。
【００５１】
このように構成された紙幣入金処理機構３１は、束ねられて整列された紙幣４６を紙幣投入口２４に投入し、前述した入力部２２の再入金ボタン２９を入力すると、投入紙幣検知センサ４４が紙幣を検知していることに基づいてモータＭ１が駆動され、取込み部３５は紙幣４６を１枚ずつ繰出し、紙幣識別センサ４０はこれの真偽、金種の鑑別を行い、鑑別不良の紙幣４６はフラッパ４２を切換えて紙幣返却口２５に放出し、鑑別し得た紙幣４６は紙幣収納部３９に収納し、収納紙幣検知センサ４５が紙幣４６の後端を検知することでその収納を検知し、このような動作を繰り返して紙幣４６の収納処理を実行し、投入紙幣検知センサ４４が投入紙幣の終了を検知すると紙幣４６の収納処理が終了する。
なお、紙幣識別センサ４０の出力に基づいて収納紙幣の金種とその計数値とのデータを生成する。
【００５２】
図５は、硬貨投入口２３の内部に構成される硬貨入金処理機構５１を示し、上述の硬貨投入口２３は漏斗状に形成し、投入した硬貨５２が１枚ずつ下部から繰出されるように構成している。また、この硬貨投入口２３の下部には硬貨識別部５３を接続し、通過する硬貨５２の材質や外径から真偽と金種とを鑑別する。
【００５３】
上述の硬貨鑑別部５３の下部にはフラッパ５４を配設し、該フラッパ５４は上段の硬貨鑑別部５３の鑑別不良のとき、該鑑別不良硬貨を硬貨返却口２６に返却するように振分け、また、鑑別ができた硬貨に対しては収納方向に搬送するべく振分ける。
【００５４】
上述のフラッパ５４の収納方向側には搬送ベルト５５，５５で構成する搬送ライン５６の始端側を接続し、該搬送ライン５６は傾斜状に架設し、その傾斜上端は硬貨収納部５７に接続している。そして、搬送ライン５６はモータＭ２により駆動制御される。
【００５５】
上述の硬貨収納部５７は鑑別し得た硬貨５２を収納し、底部には硬貨シャッタ５８を設けており、この硬貨シャッタ５８は適宜の駆動源で開閉されるも、この収納カセットＡを集金装置１４に掛けたとき集金装置１４からの制御信号で開閉操作され、該収納カセットＡのみでは開閉の操作ができないように構成して、不正を防止する。なお、上述した駆動源も持たず集金装置１４側の駆動源で紙幣シャッタ４３を開閉することもできる。さらに、特定者が管理するキーを設けて必要時に紙幣シャッタ４３を解放するべく構成することもできる。
図中、５９は硬貨収納部５７に収納される硬貨５２を検知する収納硬貨検知センサである。
【００５６】
このように構成された硬貨入金処理機構５１は、複数の硬貨５２を硬貨投入口２３に投入すると、その１枚ずつが下部の硬貨識別部５３に供給され、１枚目の硬貨５２を硬貨識別部５３が検知することに基づいてモータＭ２が駆動されて搬送ライン５６が駆動方向に駆動される。同時に、硬貨鑑別部５３は供給された硬貨５２の真偽、金種の鑑別を行い、鑑別不良の硬貨５２はフラッパ５４を切換えて硬貨返却口２６に放出し、鑑別し得た硬貨５２は硬貨収納部５７に収納し、収納硬貨検知センサ５９が収納硬貨５２を検知することでその収納を検知し、このような動作を繰り返して硬貨５２の収納処理を実行し、硬貨５２の供給が所定時間中断するとり、硬貨の投入が完了したと判定して、硬貨５２の収納処理が終了する。
なお、硬貨識別部５３の出力に基づいて収納硬貨の金種とその計数値とのデータを生成する。
【００５７】
図６は、収納カセットＡの制御回路ブロックを示し、ＣＰＵ６１はＲＯＭ６２に格納されたプログラムに沿って各回路装置を駆動制御し、ＲＡＭ６３は各種の動作を実行するに必要なデータを記憶すると共に、前述した売上金の関連データを記憶する。紙幣入金処理機構３１は前述の紙幣の取込み処理の制御および搬送ライン３８、返却ライン４１を駆動するモータＭ１の駆動制御、投入紙幣検知センサ４４、収納紙幣検知センサ４５の駆動制御、フラッパ４２の駆動制御を含む。紙幣シャッタ駆動部６４は紙幣シャッタ４３の駆動制御を行う。
【００５８】
硬貨入金処理機構５１は前述のフラッパ５４の駆動制御、搬送ライン５６を駆動するモータＭ２の駆動制御、収納硬貨検知センサ５９の駆動制御を含む。硬貨シャッタ駆動部６５は硬貨シャッタ５８の駆動制御を行う。
【００５９】
上述の紙幣シャッタ駆動部６４および硬貨シャッタ駆動部６５は集金装置１４側からの解放のコマンドがあったとき駆動制御されるが、他の方法としては、収納カセットＡにはシャッタの開閉機構（メカニズム）のみを持ち、集金装置１４にモータのごとき駆動源を持ち、収納カセットＡが集金装置１４に接続されたとき、該集金装置１４で駆動制御される駆動源の駆動力を収納カセットＡに接続するようにして、収納カセットＡには駆動源を持たない構成にすることもできる。
【００６０】
電源部６６は充電可能なバッテリで構成し、諸データを入力するためにレジスタ１２と接続されたとき、または集金装置１４に接続されたとき充電される。通信部６７は無線または有線での送受信が可能であり、有線の時はインターフェースも構成する。
このように構成した制御回路で、収納カセットＡは前述の各処理動作を実行する。
【００６１】
［集金装置の説明］
図７は、前述の集金装置１４を示し、表示器７１は操作の説明入力事項を表示すると共に、表面にタッチパネルを配して操作部を併設している。カード投入口７２は収納カセットＡを搬送してきた係員が所持するカードを投入して内部に設置されるカードリーダで受付明細のデータを記録し、伝票放出口７３は内部に設置される伝票発行機で受付明細をプリントアウトした伝票を放出する。
【００６２】
カセット投入口７４はシャッタ（図示省略）を備え、収納カセットＡの全体を内部に取り込む。装置前面の扉７５は内部に収納される輸送カセットＢを出し入れするために開閉が可能であって、電子錠で形成する扉キー７６により施錠される。
【００６３】
上述の内部に収納される輸送カセットＢは、この実施例の場合、紙幣用輸送カセットＢａと硬貨用輸送カセットＢｂの専用タイプを使用している。
図８は、収納カセットＡに収納された紙幣を紙幣用輸送カセットＢａに移転する構成を示し、収納カセットＡがカセット投入口７４の内部に投入されると、内部には該収納カセットＡを前後方向に搬送する搬送ライン７７を形成しており、該搬送ライン７７は搬送チェーンや搬送ローラなどの適宜の搬送手段で構成している。
【００６４】
上述の搬送ライン７７で搬送される収納カセットＡの紙幣シャッタ４３の移動軌跡の沿って前述の紙幣用輸送カセットＢａの複数個を装填している。そして、収納カセットＡと各輸送カセットＢａとが紙幣移転可能に対向する位置で、収納カセットＡの通信部６７がインタフェースを兼ねて集金装置１４側のインタフェースに接続されて通信が可能となり、また、各輸送カセットＢも装填されているとき集金装置１４とその制御部が接続されるように構成している。
なお、前述の複数個の紙幣用輸送カセットＢａはトレーに載置されてトレーごと出し入れされる。
【００６５】
図９は、収納カセットＡから１つの紙幣用輸送カセットＢａに紙幣を移転する動作状態を示し、ａ図に示すように、輸送カセットＢａの上面はシャッタ７８で開閉され、内部には収納部７９を形成し、この収納部７９には駆動モータで昇降される受板８０を備えている。
【００６６】
上述の輸送カセットＢａの上部に収納カセットＡがセットされると、ｂ図に示すように、受板８０が上昇し、既収納の紙幣４６の最上位置が位置検知センサ８１で検知されると受板の上昇が停止制御され、ついで収納カセットＡの紙幣シャッタ４３と、輸送カセットＢａのシャッタ７８が解放され、ｃ図、ｄ図に示すように、収納カセットＡに収納されていた紙幣４６は輸送カセットＢａに移転され、ｅ図に示すように、紙幣４６の移転が終了すると受板８０は下降して最上部の紙幣４６の位置が位置検知センサ８１で検知されることで、受板８０の下降が停止すると共に、両シャッタ４３，７８は閉鎖されて移転処理が終了する。
【００６７】
図１０は、収納カセットＡに収納された硬貨を硬貨用輸送カセットＢｂに移転する構成を示し、収納カセットＡを搬送する搬送ライン７７で、収納カセットＡの硬貨シャッタ５８の移動軌跡の沿って前述の硬貨用輸送カセットＢｂの複数個を装填している。そして、収納カセットＡと各輸送カセットＢｂとが硬貨移転可能に対向する位置で、収納カセットＡの通信部６７がインタフェースを兼ねて集金装置１４側のインタフェースに接続されて通信が可能となることは、前述の紙幣用輸送カセットＢａの場合と同様である。
なお、前述の複数個の硬貨用輸送カセットＢｂはトレーに載置されてトレーごと出し入れされる。図中８２はカードリーダ、８３は伝票発行機である。
【００６８】
図１１は、収納カセットＡから１つの硬貨用輸送カセットＢｂに硬貨を移転する動作状態を示し、ａ図に示すように、輸送カセットＢｂの上面はシャッタ８４で開閉され、内部には収納部８５を形成し、収納部８５の上部位置には収納量を規制するためのニアフル検知センサ８６を備えている。
【００６９】
上述の輸送カセットＢｂの上部に収納カセットＡがセットされると、ｂ図に示すように、収納カセットＡの硬貨シャッタ５８と、輸送カセットＢｂのシャッタ８４が解放され、ｃ図に示すように、収納カセットＡに収納されていた硬貨５２は輸送カセットＢｂに移転され、ｄ図に示すように、硬貨５２の両シャッタ８４，５８は閉鎖されて移転処理が終了する。
【００７０】
図１２は、集金装置１４の制御回路ブロックを示し、ＣＰＵ９１はＲＯＭ９２に格納されたプログラムに沿って各回路装置を駆動制御すると共に、収納カセットＡの記憶装置（ＲＡＭ６３）に記憶された売上金の関連データを輸送カセットＢの記憶装置に移転する制御処理も実行し、ＲＡＭ９３は各種の動作を実行するに必要なデータを記憶すると共に、前述した売上金の関連データおよび輸送処理データも記憶する。
【００７１】
タッチパネル９４は表示器７１の表面に形成されて、該表示器７１で表示された事項に対してタッチ入力することで、必要事項が入力される。カードリーダ９５は前述のカード投入口７４の内部に設けられ、係員が投入したカードに対してカードデータの読取りや必要なデータの書込み、例えば、受付明細のデータ書込み処理などのカード処理を実行し、伝票発行機９６は前述の伝票放出口７３の内部にもうけられ、受付明細をプリントアウトした伝票を発行し、ジャーナルプリントも実行する。
【００７２】
投入口シャッタ駆動部９７は、前述のカセット投入口７４に設けられるシャッタ（図示省略）を開閉制御し、収納カセット搬送駆動部９８は、前述の収納カセットＡの搬送ライン７７を正逆方向に駆動制御し、扉キー駆動部９９は、前述の扉キー７６を駆動制御する。
【００７３】
通信部１００は、無線または有線での送受信が可能であり、有線の時はインターフェースも構成して、現金処理センタ１５、収納カセットＡ、輸送カセットＢ（Ｂａ，Ｂｂ）の制御手段と接続される。
【００７４】
なお、輸送カセットＢのシャッタ７８，８４は集金装置１４のＣＰＵ９１のコマンドがあったとき駆動制御されるが、他の方法としては、輸送カセットＢにはシャッタの開閉機構（メカニズム）のみを持ち、集金装置１４にモータのごとき駆動源を持ち、輸送カセットＢが集金装置１４に接続されたとき、該集金装置１４で駆動制御される駆動源の駆動力を輸送カセットＢに接続するようにして、輸送カセットＢには駆動源を持たない構成にすることもできる。
このように構成した制御回路で集金装置１４は前述の各処理動作を実行する。
【００７５】
［輸送カセットの説明］
図１３は前述の輸送カセットＢの外観を示し、その外観は紙幣用輸送カセットＢａも硬貨用輸送カセットＢｂも同様に構成される。すなわち、輸送カセットＢの上部には該輸送カセットＢを持ち運ぶための把手１１１を装着しており、該把手１１１は集金装置１４に装着するときは、横に倒すことができるように回動可能に取り付けている。また、側面上部には集金装置１４に装填されたときの相互の制御手段を接続するためのインタフェース１１２を形成し、さらに、側面には収納紙幣や硬貨を取出すために扉１１３で開閉が可能であって、電子錠で形成する扉キー１１４により施錠される。
【００７６】
前面中央には表示器１１５を備え、該表示器１１５には前述した輸送処理データの内の必要データが表示される。
図１４はその例を示し、ａ図は紙幣用輸送カセットＢａの回収に使用する場合であって、輸送カセットのＩＤコード、認証コードとして真偽判別処理済みマーク（文字をマークとして使用）１１６、目的種別としての回収、トータル金額。
【００７７】
ｂ図は硬貨用輸送カセットＢｂの回収に使用する場合であって、輸送カセットのＩＤコード、認証コードとして計数処理済みマーク（文字をマークとして使用）１１６、目的種別としての回収、トータル金額。
【００７８】
ｃ図は紙幣用輸送カセットＢａの配達に使用する場合であって、輸送カセットのＩＤコード、認証コードとして計数処理済みマーク（文字をマークとして使用）１１６、目的種別としての配達、トータル金額。
ｄ図は紙幣・硬貨一体用輸送カセットＢの回収に使用する場合であって、輸送カセットのＩＤコード、認証コードとして真偽判別処理済みマーク（文字をマークとして使用）１１６、目的種別としての回収、トータル金額。
【００７９】
図１５は前述の紙幣用輸送カセットＢａを示し、既に説明したシャッタ７８、収納部７９、受板８０、位置検知センサ８１、インタフェース１１２、扉キー１１４、表示器１１５の他に、収納紙幣の満杯近いことを受板８０の下降位置で検知するニアフル検知センサ１１７、さらに、収納紙幣が空であることを受板８０の上昇位置でそれを透過して検知する空検知センサ１１８を備え、前述の受板８０はモータＭ３の正逆駆動により昇降される。
【００８０】
図１６は、前述の硬貨用輸送カセットＢｂを示し、既に説明したシャッタ８４、収納部８５、ニアフル検知センサ８６、インタフェース１１２、扉キー１１４、表示器１１５の他に、収納硬貨が空になったことを収納部８５の底部で検知する空検知センサ１１９を備えている。
【００８１】
図１７は、前述の紙幣用輸送カセットＢａの制御回路ブロックを示し、ＣＰＵ１２１はＲＯＭ１２２に格納されたプログラムに沿って各回路装置を駆動制御し、ＲＡＭ１２３は各種の動作を実行するに必要なデータを記憶すると共に、前述した売上金の関連データおよび輸送処理データも記憶する。
【００８２】
シャッタ駆動部１２４は、前述のシャッタ７８を開閉制御し、モータ駆動部１２５は前述のモータＭ３を正逆方向に駆動制御し、扉キー駆動部１２６は、前述の扉キー１１４を駆動制御する。電源部１２７は充電可能なバッテリで構成し、集金装置１４に接続されたとき充電される。
このように構成した制御回路で紙幣用輸送カセットＢａは前述の各処理動作を実行する。
【００８３】
図１８は、前述の硬貨用輸送カセットＢｂの制御回路ブロックを示し、ＣＰＵ１３１はＲＯＭ１３２に格納されたプログラムに沿って各回路装置を駆動制御し、ＲＡＭ１３３は各種の動作を実行するに必要なデータを記憶すると共に、前述した売上金の関連データおよび輸送処理データも記憶する。
【００８４】
シャッタ駆動部１３４は、前述のシャッタ８４を開閉制御し、扉キー駆動部１３５は、前述の扉キー１１４を駆動制御する。電源部１３６は充電可能なバッテリで構成し、集金装置１４に接続されたとき充電される。
このように構成した制御回路で硬貨用輸送カセットＢｂは前述の各処理動作を実行する。
【００８５】
［収納カセットの売上金収納処理の説明］
図１９、図２０は、収納カセットＡのＣＰＵ６１が駆動制御する売上金収納処理動作のフローチャートを示し、ＣＰＵ６１は金額確定済みか否か（ステップｎ１）、紙幣の入金（収納）か否か（ステップｎ２）、硬貨の入金（収納）か否か（ステップｎ３）を判定する。
【００８６】
図１９に示すように、上述のステップｎ１の金額確定済みか否かは、金額確定ボタン２７の押下で判定し、金額確定を判定すると、ついで再入金（再収納）か否かを再入金ボタン２９の押下で判定し（ステップｎ４）、再入金ボタン２９の押下がないときは収納処理が確定したので、操作履歴をＲＡＭ６３の所定のエリアに記憶して（ステップｎ３１）、処理を終了する。
上述のステップｎ４で、再入金ボタン２９の押下を判定すると金額確定をクリアし、金額確定マーク２８の点灯を消灯して（ステップｎ５）、ステップｎ１にリターンする。
【００８７】
前述のステップｎ２で、紙幣４６の入金（収納）であるか否かは、紙幣投入口２４に対する紙幣４６の投入を投入紙幣検知センサ４４が検知したか否か、および再入金ボタン２９が押下されたか否かで判定し、紙幣４６の入金処理が判定されたときは紙幣投入口２４に投入された紙幣４６を内部に取込むべく紙幣入金処理機構３１を駆動制御し（ステップｎ６）、取り込まれた紙幣４６は紙幣識別センサ４０で識別される。
【００８８】
上述の識別で、万円札が識別されたときは、万円札を１カウントし、万円札表示枚数を１枚アップし、合計金額を更新し、該万円札を紙幣収納部３９に収納する（ステップｎ７〜ｎ１１）
また、前述の識別で、５千円札、または千円札が判定されたときも、上述の計数・収納処理（ステップｎ７〜ｎ１１）と等価な処理が実行される。
【００８９】
さらに、何れの札も識別されないときは、紙幣の取込みを停止し（ステップｎ１２）、フラッパ４２を返却ライン４１側に位置させ（ステップｎ１３）、モータＭ１を逆転制御して（ステップｎ１４）、紙幣４６を紙幣返却口２５に放出する（ステップｎ１５）。
【００９０】
さらに、上述の紙幣４６の取込みで投入紙幣検知センサ４４が投入紙幣がなくなったことを検知すると（ステップｎ１６）、さらに紙幣投入口２４に次の紙幣４６の投入があるか否か、所定時間監視し（ステップｎ１７）、紙幣４６の投入が検知されると、ステップｎ１にリターンする。
【００９１】
しかし、紙幣４６の投入がないときは、入金処理が終了したと判定して、金額確定ボタン２７が押下されたか否かを判定し（ステップｎ１８）、例えば、紙幣４６または硬貨５２の入金で係員がミスを発見して、その処理をやり直す時は、管理者のもとで所定のキーを操作してシャッタ４３（硬貨の入金であれば硬貨シャッタ５８）を解放し、紙幣４６（または硬貨５２）を取出す（ステップｎ１９）。このとき金額確定はクリアされ、金額確定マーク２８は消灯される（ステップｎ２０）。その後、操作履歴がＲＡＭ６３の所定のエリアに記憶される（ステップ３１）。
【００９２】
図２０に示すように、前述のステップｎ３で、硬貨５２の入金（収納）処理であるか否かは、硬貨投入口２３に投入された硬貨５２が硬貨識別部５３に到来したか否かで判定し、硬貨５２の到来を検知すると該硬貨５２を内部に取り込むと同時に（ステップｎ２１）、該硬貨５２を識別する。
上述の識別で、５００円硬貨が識別されたときは、５００円硬貨を１カウントし、５００円硬貨の表示枚数を１枚アップし、合計金額を更新し、該５００円硬貨を硬貨収納部５７に収納する（ステップｎ２２〜ｎ２６）。
また、前述の識別で、１００円、５０円、１０円、５円、または１円の各硬貨５２が判定されたときも、上述の計数・収納処理（ステップｎ２２〜ｎ２６）と等価な処理が実行される。
【００９３】
さらに、何れの硬貨も識別されないときは、フラッパ５４を硬貨返却口２６側に切換えて（ステップｎ２７）、硬貨５２を硬貨返却口２６に放出する（ステップｎ２８）。
【００９４】
さらに、上述の硬貨識別部５３が硬貨５２の投入がなく（ステップｎ２９）、また、硬貨５２の投入が所定時間ないことを監視して、所定時間硬貨５２の投入がなければ、硬貨５２による入金処理が終了したと判定し（ステップｎ３０）、次のステップｎ１８に移行する。しかし、硬貨５２の投入を検知したときは操作履歴をＲＡＭ６３の所定のエリアに記憶した後（ステップｎ３１）、ステップｎ１にリターンする。
【００９５】
このような入金（収納）処理により紙幣４６および硬貨５２が収納カセットＡに収納される。
【００９６】
［集金装置の入金処理動作の説明］
図２１、図２２は、集金装置１４のＣＰＵ９１が駆動制御するカセット入金取引処理（回収処理）動作のフローチャートを示し、図２１において、ＣＰＵ９１は収納カセットＡによる入金取引を待機し（ステップｎ４１）、タッチパネル９４から入金ボタンが押下されると入金取引が受付られ（ステップｎ４２）、次いで係員が所持しているカードが投入されると（ステップｎ４３）、カードリーダ９５がカードデータを読取り、正当なカードであるか否かを判定する（ステップｎ４４）。
【００９７】
カードの判定が正当なカードでないとされたときは該カードを返却して（ステップｎ４５）、取引を終了するが、正当なカードが判定されたときは、投入口シャッタ駆動部９７がカセット投入口７４のシャッタ（図示省略）を解放して、収納カセットＡの投入を許容する（ステップｎ４６，ｎ４７）。
【００９８】
収納カセットＡが投入されると該収納カセットＡの通信部６７と集金装置１４側の通信部１００とが接続されて、該収納カセットＡの記憶装置（ＲＡＭ６３）に記憶されている売上金の関連データを読取る（ステップｎ４８）。
【００９９】
読取った売上金の関連データから収納カセットＡのＩＤコードを読出し、該ＩＤコードと正規と判定されるＩＤコードとの一致により、投入された収納カセットＡが正規のカセットか否かを判定し（ステップｎ４９）、他のカセットであれば受付を拒否して、該カセットの返却処理をする（ステップｎ５０）。
【０１００】
正規の収納カセットＡであると判定されたときは、次いでカセットのパスワードを読取り（ステップｎ５１）、該前回の取引時に記録したパスワードと一致するかを判定して、パスワードからその正当性を判定する（ステップｎ５２）。
パスワードによる正当性が判定されないときは受付を拒否して、該カセットの返却処理をする（ステップｎ５０）。
【０１０１】
図２２において、上述のパスワードによる正当性が判定されたときは、次いで収納した現金の正当性を認証する認証コードを読出して、この認証コードの存在有無で金額が確定されているか否かを判定し（ステップｎ５３）、金額確定がないときは受付を拒否して、該カセットの返却処理をする（ステップｎ５０）。
【０１０２】
上述のステップｎ５３で金額の確定が判定されたときは、ステップｎ４９，ｎ５２の３つの条件、すなわち、正規のカセット、パスワード一致、金額の確定により取引条件が成立し（ステップｎ５４）、取引の意思入力を待機する（ステップｎ５５）。
【０１０３】
取引の条件が成立した後にタッチパネル９４から取消しボタンが押下されると（ステップｎ５６）、取引の意思がないと判定し、該収納カセットＡの返却処理をする（ステップｎ５０）。
【０１０４】
タッチパネル９４から取引ボタンが押下されると（ステップｎ５７）、取引の意思が確定され、収納カセット搬送駆動部９８が投入された収納カセットＡを所定の輸送カセットＢの上部に搬送し（ステップｎ５８）、収納カセットＡの売上金の関連データから、紙幣、硬貨毎の金種と金種毎の枚数または金額値および全金額値を読出して（ステップｎ５９）、取引日付、時間、収納カセットＡのＩＤコード、金額情報、取引ＩＤコードなど必要なデータを内蔵のジャーナル（図示省略）に記録し（ステップｎ６０）、また、同様に必要なデータ、すなわち、収納カセットＡの売上金の関連データを輸送カセットＢの記憶装置（ＲＡＭ１２３，１３３）に移転（記憶）し（ステップｎ６１）、その後、シャッタ解放のコマンドを収納カセットＡおよび輸送カセットＢに出力することで、収納カセットＡに収納された紙幣４６、硬貨５２が輸送カセットＢ（Ｂａ，Ｂｂ）に移転（収納）される（ステップｎ６２）。
【０１０５】
次いで集金装置１４側のパスワードを更新し、この更新に基づいて収納カセットＡのパスワードも更新し（ステップｎ６３，ｎ６４）、その後、必要な取引明細を記録したレシートを発行すると共に、係員のカードを返却し（ステップｎ６５）、収納カセットＡをカセット投入口７４に返却し（ステップｎ６６）、収納カセットＡが抜き取られることで、シャッタを閉鎖して取引処理を終了する。
このような取引処理により、収納カセットＡの売上金と該売上金の関連データとが輸送カセットＢに移転される。
【０１０６】
［輸送カセットの取出し処理の説明］
図２３は、集金装置１４から輸送カセットＢ（Ｂａ，Ｂｂ）を取出すときの係員処理動作を示し、集金装置１４のタッチパネル９４から輸送カセットＢの取出しを入力すると、扉キー駆動部９９が動作して扉キー７６を解錠し、扉７５の解放が許容される（ステップｎ７１）。
【０１０７】
次いで、扉７５を解放して輸送カセットＢをトレーごと引出し（ステップｎ７２）、該トレーには不正に輸送カセットＢを取り外すことができないように、施錠されているので、このキーを係員が解錠して、輸送カセットＢを取り外す（ステップｎ７３，ｎ７４）。
【０１０８】
次いで、空の輸送カセットＢをトレーに装填して、施錠し、トレーを内部に収納して、扉７５を閉鎖すると扉キー７６が自動的に施錠され（ステップｎ７５，ｎ７６，ｎ７７）、輸送カセットＢの取出し処理を終了する。
【０１０９】
このようにして取出された輸送カセットＢは、図１で説明したように、現金処理センタ１５に輸送して処理されることになる。
【０１１０】
［収納カセットからの通信の説明］
図２４は、収納カセットＡから現金処理センサ１５への通信処理を示し、収納カセットＡから集金装置１４に対する売上金の関連データの通信は、図１に示すようにレジエリア１１と出納室１３とは同じ店舗１０内であるため、有線で接続して有線での通信が可能である。しかし、収納カセットＡと現金処理センタ１５とは距離があるため、次の方法で行う。
【０１１１】
すなわち、収納カセットＡにＰＨＳモジュールなどによる無線通信モジュールを内蔵または取り付けて、基地局１４１に送信し、該基地局１４１から公衆回線や専用回線などのネットワーク１４２を利用して、現金処理センタ１５のホストコンピュータ１４３に通信して、収納カセットＡの売上金の関連データを送信する。
【０１１２】
現金処理センタ１５では、輸送カセットＢの検証が済むと、伝送された売上金の関連データの売上金に関するデータ（合計金額データなど）で銀行１９に振込み処理の代行、預金処理の代行を行うことができる。
【０１１３】
さらに、通信の他の手段としては、通信モデムを内蔵した専用通信台１４４を設けて、これに収納カセットＡの通信部６７を接続し、上述の専用通信台１４４から有線でネットワーク１４２を介して現金処理センサ１５のホストコンピュータ１４３に通信することができる。
【０１１４】
［集金装置からの通信の説明］
図２５は、集金装置１４から現金処理センタ１５への通信処理を示し、集金装置１４と現金処理センタ１５とは距離があるため、次の方法で行う。
【０１１５】
すなわち集金装置１４はその通信部１００を通信モデムで構成して、公衆回線や専用回線などのネットワーク１４２を利用して、現金処理センタ１５のホストコンピュータ１４３に通信して、前述した収納カセットＡの売上金の関連データと輸送処理データを送信する。
【０１１６】
現金処理センタ１５では、輸送カセットＢの検証が済むと、伝送された売上金の関連データの売上金に関するデータ（合計金額データなど）で銀行１９に振込み処理の代行、預金処理の代行を行うことができる。
【０１１７】
［集金装置の取引条件の付加の説明］
前述の図２２のステップ５４での取引条件の成立は、正規のカセット、パスワード一致、金額確定の３つの条件を満たすことであったが、さらに、他の条件として、収納カセットＡの有効期限のチェック、有効取引回数のチェックを付加することもできる。
【０１１８】
図２６は、上述の条件のチェックを示し、図２２のステップｎ４８で、収納カセットＡの記憶装置から売上金の関連データが読取られているので、そのデータの中から有効期限と、有効取引回数とが有効か否かを判定し（ステップｎ６７，ｎ６８）、有効であれば取引条件が成立するが、有効でないときは、収納カセットＡは集金装置１４の内部に回収し（ステップｎ６９）、その回収理由を表示器７１に表示して、例えば、輸送委託業者に収納カセットＡを返却する旨などの理由を表示する。
【０１１９】
このように収納カセットＡを回収するときは、有効期限切れ、有効取引回数切れの収納カセットＡをメンテナンスすることで収納カセットＡの変造機会をなくすことができる。
【０１２０】
図２７は、さらに、取引条件の成立に搬送有効時間を設定した場合を示し、この搬送有効時間が経過すると、適宜のタイマ手段で収納カセットＡの記憶装置（ＲＡＭ６３）に記憶した売上金の関連データをクリアするように設定する。
【０１２１】
そして、このデータが先ず存在するか否か、すなわち、所定時間の経過によりクリアされたか否かを判定し（ステップｎ８１）、上述の関連データの中から搬送設定時間が有効時間内か否かを判定し（ステップｎ８１，ｎ８２）、これらの判定が認められたときは取引条件が成立し、これらの判定が認められないときは、取引の条件が不成立で、収納カセットＡを返却して、取引を終了する。
【０１２２】
このように収納カセットＡの搬送時間を判定するときは、売上金の関連データそのものを改竄される時間を少なくし、改竄機会をなくすことができ、また、一定時間に収納カセットＡを集金装置１４に持っていく必要があるので、収納カセットＡ自体の消失機会、盗難機会をなくすことができる。
【０１２３】
［収納カセットの操作履歴のチェックの説明］
既に説明したように、収納カセットＡの記憶装置に記憶された売上金の関連データには、収納カセットの操作履歴記録、例えば、
シャッタの開閉回数（内部媒体（現金）へのアクセス回数）
媒体（現金）のセット情報
取込み開始ボタンの押下動作の回数
金額確定動作
搬送検知センサのログ
計数開始時刻と終了時刻
があるので、この操作履歴記録を集金装置１４に設けた記録装置（内蔵ハードディスク、ジャーナルプリンタ）に記録して、これらの記録をチェックすることで、不正の発見や防止ができる。
【０１２４】
例えば、シャッタの開閉記録が異常に多い場合、収納物の紙幣や硬貨に不要にアクセスしたことが推測でき、また、搬送検知センサのＯＮの順序が不自然であれば、収納物の抜き取りが推測でき、このように操作履歴で不正の発見や防止が可能となる。
【０１２５】
［他の実施例の説明］
図２８は、他の実施例を示し、先の実施例と同一の機能については同一の符号を付してその詳細な説明を省略する。この実施例の場合、収納カセットＡを直接輸送カセットＢに挿入して、該輸送カセットＢを輸送するように構成している。
【０１２６】
すなわち、集金装置１４は、既に説明したように、入力手段としてタッチパネルを備えた表示器７１と、係員が所持するカードを投入するカード投入口７２と、伝票を放出する伝票放出口７３とを備えているが、しかし、輸送カセットＢは集金装置１４の内部ではなく、外部に出されて、その複数が集金装置１４に並設の配置され、この集金装置１４とはその制御部が有線または無線で通信可能に接続されている。
【０１２７】
各輸送カセットＢの前面には、シャッタ１５０で開閉される複数のカセット挿入口１５１…が形成されており、各カセット挿入口１５１の内部に収納部が形成され、これに収納カセットＡが収納される。
【０１２８】
このように構成した集金装置１４は、係員によりカードがカード投入口７２に投入され、表示器７１のタッチパネルから必要な取引事項が入力されると、優先順位が設定された所定位置のカセット挿入口１５１のシャッタ１５０が開放され、収納カセットＡの挿入が許容される。
【０１２９】
係員によって開放されたカセット挿入口１５１に収納カセットＡを収納し、この収納の完了が表示器７１のタッチパネルから入力されることで、カセット挿入口１５１のシャッタ１５０は閉鎖されると共に、受領の必要事項を記入した伝票を発行して、これを伝票放出口７３から放出する。
このようにして輸送カセットＢに直接収納カセットＡを収納し、この輸送カセットＢを回収輸送することもできる。
【０１３０】
なお、上述の実施例では、収納カセットＡを係員によって輸送カセットＢに収納したが、集金装置１４の内部で機械的に収納カセットＡを輸送カセットＢに収納すべく構成することもできる。
【０１３１】
［発明の構成と実施例との対応］
この発明の価値媒体は、実施例の紙幣４６，硬貨５２に対応し、
以下同様に、
価値媒体関連データは、売上金の関連データに対応し、
収納用カセットの記憶手段は、ＲＡＭ６３に対応し、
収納用カセットの認証手段は、金額確定ボタン２７に対応し、
認証手段による認証情報は、認証コード、金額確定マーク２８に対応し、
価値媒体収集装置は、集金装置１４に対応し、
価値媒体収集装置の制御部は、ＣＰＵ９１に対応するも、この発明は、実施例の構成のみに限定されるものではない。
【図面の簡単な説明】
【図１】  輸送構成システム図
【図２】  収納カセットの外観斜視図
【図３】  収納カセットの表示部および入力部の平面図
【図４】  収納カセットの紙幣入金処理機構の断面図
【図５】  収納カセットの硬貨入金処理機構の断面図
【図６】  収納カセットの制御回路ブロック図
【図７】  集金装置の外観斜視図
【図８】  集金装置の紙幣移転機構部分の断面図
【図９】  ａ〜ｅの各図は収納カセットから輸送カセットへの紙幣の移転動作を示す説明図
【図１０】  集金装置の硬貨移転機構部分の断面図
【図１１】  ａ〜ｄの各図は収納カセットから輸送カセットへの硬貨移転動作を示す説明図
【図１２】  集金装置の制御回路ブロック図
【図１３】  輸送カセットの外観斜視図
【図１４】  ａ〜ｄの各図は輸送カセットの表示器の表示例を示す説明図
【図１５】  紙幣用輸送カセットの断面図
【図１６】  硬貨用輸送カセットの断面図
【図１７】  紙幣用輸送カセットの制御回路ブロック図
【図１８】  硬貨用輸送カセットの制御回路ブロック図
【図１９】  収納用カセットの売上金収納処理動作のフローチャート
【図２０】  図１９の続きを示すフローチャート
【図２１】  集金処理装置の入金取引処理動作のフローチャート
【図２２】  図２１の続きを示すフローチャート
【図２３】  輸送カセットの取出し処理のフローチャート
【図２４】  収納カセットから現金処理センサへの通信処理を示す構成図
【図２５】  集金装置から現金処理センサへの通信処理を示す構成図
【図２６】  集金装置の取引条件の付加を示すフローチャート
【図２７】  集金装置の取引条件のさらなる付加を示すフローチャート
【図２８】  他の実施例を示す集金装置の外観斜視図
【符号の説明】
Ａ…収納カセット
Ｂ…輸送カセット
１４…集金装置
１５…現金処理センタ
２８…金額確定マーク
４６…紙幣
５２…硬貨
６１，９１，１２１，１３１…ＣＰＵ
６３，９３，１２３，１３３…ＲＡＭ
１１６…処理済みマーク
【図１】
0003748142.tif 000002
【図２】
0003748142.tif 000003
【図３】
0003748142.tif 000004
【図４】
0003748142.tif 000005
【図５】
0003748142.tif 000006
【図６】
0003748142.tif 000007
【図７】
0003748142.tif 000008
【図８】
0003748142.tif 000009
【図９】
0003748142.tif 000010
【図１０】
0003748142.tif 000011
【図１１】
0003748142.tif 000012
【図１２】
0003748142.tif 000013
【図１３】
0003748142.tif 000014
【図１４】
0003748142.tif 000015
【図１５】
0003748142.tif 000016
【図１６】
0003748142.tif 000017
【図１７】
0003748142.tif 000018
【図１８】
0003748142.tif 000019
【図１９】
0003748142.tif 000020
【図２０】
0003748142.tif 000021
【図２１】
0003748142.tif 000022
【図２２】
0003748142.tif 000023
【図２３】
0003748142.tif 000024
【図２４】
0003748142.tif 000025
【図２５】
0003748142.tif 000026
【図２６】
0003748142.tif 000027
【図２７】
0003748142.tif 000028
【図２８】
0003748142.tif 000029